(57)【要約】【課題】元像からの光の進行方向を変えて像を結像するための光学パネルを備えた結像装置において、ゴーストの発生を抑制する。【解決手段】結像装置１０は、一方の側から入射する元像９１からの光の進行方向を変えて他方の側へ透過し、他方の側へ像９２を結像するための光学パネル２０を備え、光学パネルは、一方の側から入射する元像からの光を反射する複数の第１反射面３６であって、互いに平行となるようにして第１配列方向に配列された複数の第１反射面と、複数の第１反射面の他方の側に設けられ、第１反射面で反射された元像からの光を反射する複数の第２反射面４６であって、互いに平行となるようにして、第１配列方向と交差する第２配列方向ｄｂに配列された複数の第２反射面と、を含み、結像装置は、光学パネルの一方の側に配置され、光の透過方向に応じて当該光の透過率を変化させる光透過方向制御部材５０をさらに有する。【選択図】図１
2017191175.tif 000002
【特許請求の範囲】
【請求項１】
一方の側から入射する元像からの光の進行方向を変えて他方の側へ透過し、他方の側へ像を結像するための光学パネルを備えた結像装置であって、
前記光学パネルは、
前記一方の側から入射する元像からの光を反射する複数の第１反射面であって、互いに平行となるようにして第１配列方向に配列された複数の第１反射面と、
前記複数の第１反射面の他方の側に設けられ、前記第１反射面で反射された元像からの光を反射する複数の第２反射面であって、互いに平行となるようにして、第１配列方向と交差する第２配列方向に配列された複数の第２反射面と、を含み、
前記結像装置は、前記光学パネルの前記一方の側に配置され、光の透過方向に応じて当該光の透過率を変化させる光透過方向制御部材をさらに有する、結像装置。
【請求項２】
一方の側から入射する元像からの光の進行方向を変えて他方の側へ透過し、他方の側へ像を結像するための光学パネルを備えた結像装置であって、
前記光学パネルは、
前記一方の側から入射する元像からの光を反射する複数の第１反射面であって、互いに平行となるようにして第１配列方向に配列された複数の第１反射面と、
前記複数の第１反射面の他方の側に設けられ、前記第１反射面で反射された元像からの光を反射する複数の第２反射面であって、互いに平行となるようにして、第１配列方向と交差する第２配列方向に配列された複数の第２反射面と、を含み、
前記結像装置は、前記光学パネルの前記一方の側に配置され、光の入射方向に応じてその透過光のヘイズ値が異なるヘイズ値制御部材をさらに有する、結像装置。
【請求項３】
前記ヘイズ値制御部材は、
当該ヘイズ値制御部材に対して所定の第１角度範囲から入射した光を、相対的に低いヘイズ値を有して透過させ、
当該ヘイズ値制御部材に対して前記第１角度範囲と異なる第２角度範囲から入射した光を、相対的に高いヘイズ値を有して透過させるものである、請求項２に記載の結像装置。
【請求項４】
前記第１角度範囲は、当該ヘイズ値制御部材の法線方向に対して所定の角度以下の角度をなす範囲である、請求項３に記載の結像装置。
【請求項５】
前記光学パネルは、
前記複数の第１反射面を有する第１光学シートと、
前記第１光学シートの他方の側へ配置され、前記複数の第２反射面を有する第２光学シートと、を備える、請求項１〜４のいずれかに記載の結像装置。
【発明の詳細な説明】
【技術分野】
【０００１】
本発明は、一方の側から入射する元像からの光の進行方向を変えて他方の側へ透過し、他方の側へ像を結像するための光学パネルを備えた結像装置に関する。
【背景技術】
【０００２】
例えば特許文献１に開示されているように、一方の側から入射する元像からの光の進行方向を変えて他方の側へ透過し、他方の側へ像を結像するための光学パネルを備えた結像装置が知られている。特許文献１に開示された結像装置の光学パネルは、第１光学シートと第２光学シートとを有し、各光学シートは配列方向に配列された複数の光透過部を含んでおり、各光透過部は、一方の側から入射する元像からの光を反射する反射面と、当該反射面と対向する斜面と、を有している。特許文献１の結像装置によれば、光学パネルの一方の側から入射した元像からの光を光学パネルのパネル面に平行な異なる２方向に反射することにより、光学パネルの他方の側に、実像である元像と同一の虚像を結像することができる。
【先行技術文献】
【特許文献】
【０００３】
【特許文献１】特開２０１３−１１３９０２号公報
【発明の概要】
【発明が解決しようとする課題】
【０００４】
しかしながら、この結像装置においては、本来観察されるべき虚像とは異なる像、すなわちゴースト、が観察される場合があった。本件発明者らがこの現象の原因について鋭意検討を進めたところ、このゴーストの発生の原因の１つは、元像から出射してケーシングの内面やケーシング内の他の装置の表面で反射して光学パネルに入射する光に起因するものであることが知見された。
【０００５】
特許文献１に開示された結像装置において、元像から出射した光には、元像から出射していずれかの箇所で反射することなく光学パネルに入射する光と、元像から出射してケーシングの内面やケーシング内の他の装置の表面で反射して光学パネルに入射する光が含まれる。元像から出射していずれかの箇所で反射することなく光学パネルに入射する光は、光学パネルを透過して光学パネルの他方の側に本来観察されるべき像を結像する。一方、元像から出射してケーシングの内面やケーシング内の他の装置の表面で反射した光は、元像から出射していずれかの箇所で反射することなく光学パネルに入射する光とは異なる角度で光学パネルに入射し、その少なくとも一部が光学パネルを透過する。そして、光学パネルを透過した光は、本来観察されるべき像とは異なる位置で結像し、この像がゴーストとして観察者から視認され得る。とりわけ、このゴーストが、本来観察されるべき像が観察され得る方向から視認される場合、すなわち、本来観察されるべき像と同時に視認される場合には、本来観察されるべき像の視認性を著しく劣化させてしまうことになる。
【０００６】
本発明は、このような点を考慮してなされたものであり、一方の側から入射する元像からの光の進行方向を変えて他方の側へ透過し、他方の側へ像を結像するための光学パネルを備えた結像装置において、ゴーストの発生を抑制することを第１の目的とする。
【０００７】
また、特許文献１に開示された結像装置においては、光学パネルの一方の側から入射し、第１光学シート又は第２光学シートのいずれかの反射面で１回だけ反射した元像からの光による像（反射像）がそのまま観察者から視認される場合があった。そして、この反射像が、本来観察されるべき像が観察され得る方向から視認される場合、すなわち、本来観察されるべき像と同時に視認される場合にも、本来観察されるべき像の視認性を著しく劣化させてしまうことになる。
【０００８】
本発明は、このような点を考慮してなされたものであり、一方の側から入射する元像からの光の進行方向を変えて他方の側へ透過し、他方の側へ像を結像するための光学パネルを備えた結像装置において、光学パネルの反射面で１回だけ反射した元像からの光による反射像が視認されることを抑制することを第２の目的とする。
【課題を解決するための手段】
【０００９】
本発明の結像装置は、
一方の側から入射する元像からの光の進行方向を変えて他方の側へ透過し、他方の側へ像を結像するための光学パネルを備え、
前記光学パネルは、
前記一方の側から入射する元像からの光を反射する複数の第１反射面であって、互いに平行となるようにして第１配列方向に配列された複数の第１反射面と、
前記複数の第１反射面の他方の側に設けられ、前記第１反射面で反射された元像からの光を反射する複数の第２反射面であって、互いに平行となるようにして、第１配列方向と交差する第２配列方向に配列された複数の第２反射面と、を含み、
前記結像装置は、前記光学パネルの前記一方の側に配置され、光の透過方向に応じて当該光の透過率を変化させる光透過方向制御部材をさらに有する。
【００１０】
本発明の結像装置は、
一方の側から入射する元像からの光の進行方向を変えて他方の側へ透過し、他方の側へ像を結像するための光学パネルを備えた結像装置であって、
前記光学パネルは、
前記一方の側から入射する元像からの光を反射する複数の第１反射面であって、互いに平行となるようにして第１配列方向に配列された複数の第１反射面と、
前記複数の第１反射面の他方の側に設けられ、前記第１反射面で反射された元像からの光を反射する複数の第２反射面であって、互いに平行となるようにして、第１配列方向と交差する第２配列方向に配列された複数の第２反射面と、を含み、
前記結像装置は、前記光学パネルの前記一方の側に配置され、光の入射方向に応じてその透過光のヘイズ値が異なるヘイズ値制御部材をさらに有する。
【００１１】
本発明の結像装置において、
前記ヘイズ値制御部材は、
当該ヘイズ値制御部材に対して所定の第１角度範囲から入射した光を、相対的に低いヘイズ値を有して透過させ、
当該ヘイズ値制御部材に対して前記第１角度範囲と異なる第２角度範囲から入射した光を、相対的に高いヘイズ値を有して透過させるものであってもよい。
【００１２】
本発明の結像装置において、
前記第１角度範囲は、当該ヘイズ値制御部材の法線方向に対して所定の角度以下の角度をなす範囲であってもよい。
【００１３】
本発明の結像装置において、
前記光学パネルは、
前記複数の第１反射面を有する第１光学シートと、
前記第１光学シートの他方の側へ配置され、前記複数の第２反射面を有する第２光学シートと、を備えてもよい。
【発明の効果】
【００１４】
本発明によれば、一方の側から入射する元像からの光の進行方向を変えて他方の側へ透過し、他方の側へ像を結像するための光学パネルを備えた結像装置において、ゴーストの発生を抑制することができる。
【００１５】
また、本発明によれば、一方の側から入射する元像からの光の進行方向を変えて他方の側へ透過し、他方の側へ像を結像するための光学パネルを備えた結像装置において、光学パネルの反射面で１回だけ反射した元像からの光による反射像が視認されることを抑制することができる。
【図面の簡単な説明】
【００１６】
【図１】図１は、本発明の一実施の形態を説明するための図であって、光学パネルを備えた結像装置を概略的に示す斜視図である。
【図２】図２は、図１の結像装置を示す縦断面図である。
【図３】図３は、結像装置に組み込まれた光学パネルの一例を示す部分斜視図である。
【図４】図４は、図３の光学パネルに組み込まれた光学シートを、そのシート面への法線方向及び凸部の配列方向の両方に沿った断面において、示す図である。
【図５】図５は、結像装置に組み込まれた光透過方向制御部材の一例を示す斜視図である。
【図６】図６は、図５の光透過方向制御部材のＶＩ−ＶＩ線に沿った断面を示す図である。
【図７】図７は、光透過方向制御部材の製造方法の一例を説明するための図である。
【図８】図８は、光透過方向制御部材の製造方法の一例を説明するための図である。
【図９】図９は、本実施の形態の変形例を説明するための図であって、結像装置に組み込まれたヘイズ値制御部材の一例を示す図である。
【発明を実施するための形態】
【００１７】
以下、図面を参照して本発明の一実施の形態について説明する。なお、本件明細書に添付する図面においては、図示と理解のしやすさの便宜上、適宜縮尺及び縦横の寸法比等を、実物のそれらから変更し誇張してある。
【００１８】
図１〜図９は、本発明による一実施の形態を説明するための図である。このうち、図１及び図２は、結像装置を示す斜視図及び縦断面図である。図３は、結像装置に組み込まれた光学パネルを示す部分斜視図である。図４は、光学パネルに組み込まれた光学シートを示す断面図である。
【００１９】
図１及び図２に示すように、結像装置１０は、一方の側から入射する元像（元となる像）９１からの光の進行方向を変えて他方の側へ透過させる光学パネル２０と、光学パネル２０を支持するケーシング１５と、光の透過方向に応じて当該光の透過率を変化させる光透過方向制御部材５０と、を有している。図示された結像装置１０において、円錐形状の立体モデルが元像９１としてケーシング１５内に配置されている。したがって、図示する例においては、ケーシング１５の内側が、光学パネル２０の一方の側、すなわち入光側であって、ケーシングの外側が、光学パネル２０の他方の側である。光学パネル２０は、そのパネル面に平行な異なる二方向ｄａ，ｄｂに元像９１からの光を反射することにより、光学パネル２０の他方の側、すなわち出光側に実像である元像と同一の虚像９２を結像する。光透過方向制御部材５０は、光学パネル２０の一方の側、すなわちケーシング１５の内側に配置されている。
【００２０】
ケーシング１５は、箱状に形成されており、上面１５ａに光学パネル２０を支持している。ケーシング１５の上面１５ａは、例えば４５°だけ、底面１５ｂに対して傾斜している。元像９１となる物体（図１及び図２では円錐）は、ケーシング１５内において、光学パネル２０のパネル面への法線方向ｎｄに対面しない位置に配置されている。光学パネル２０によって結像される虚像９２は、光学パネル２０のパネル面への法線方向ｎｄに対面しない位置に観察されるようになる。とりわけ、図示された例では以下に説明する光学パネル２０の構成に応じて、虚像９２は、光学パネル２０のパネル面を中心面として、元像９１と面対称な位置に面対称となる向きにて観察されるようになる。
【００２１】
なお、本明細書において、「パネル」、「シート」、「フィルム」、「板」等の用語は、呼称の違いのみに基づいて、互いから区別されるものではない。したがって、例えば、「シート」はフィルムや板とも呼ばれ得るような部材も含む概念である。一具体例として、「光学シート」には、「光学フィルム」等と呼ばれる部材も含まれる。
【００２２】
また、本明細書において、「シート面（フィルム面、板面、パネル面）」とは、対象となるシート状（フィルム状、板状、パネル状）の部材を全体的かつ大局的に見た場合において対象となるシート状（フィルム状、板状、パネル状）部材の平面方向と一致する面のことを指す。
【００２３】
さらに、本明細書において用いる、形状や幾何学的条件を特定する用語、例えば、「平行」、「直交」、「対称」、「台形」等の用語については、厳密な意味に縛られることなく、同様の光学的機能を期待し得る程度の誤差を含めて解釈することとする。
【００２４】
以下、光学パネル２０の構成及び作用効果についてさらに詳述していく。図３に示すように光学パネル２０は、第１光学シート３０と、第１光学シート３０の他方の側、すなわち出光側に配置された第２光学シート４０と、を有している。第１光学シート３０は、シート状の第１ベース部３１と、第１ベース部３１上に配列された第１凸部３５と、を有しており、第２光学シート４０は、シート状の第２ベース部４１と、第２ベース部４１上に配列された第２凸部４５と、を有している。以下において光学シート３０，４０についてさらに詳述するが、以下の説明において、「第１」及び「第２」との用語を用いることなく３０番台と４０番台の符号を列記して説明する場合、例えば「光学シート３０，４０」、「ベース部３１，４１」、「凸部３５，４５」との用語を用いて説明する場合には、第１光学シート３０及び第２光学シート４０の双方に当てはまる説明である。とりわけ図示された本実施の形態では、第１光学シート３０及び第２光学シート４０が互いに同一に構成されている。そして、図４は、同一に構成された第１光学シート３０及び第２光学シート４０の両方を示す図となっている。
【００２５】
ベース部３１，４１は、凸部３５，４５を支持する層であり、適度な強度及び適度な透明性を有するように、適宜構成される。第１ベース部３１の他方の側の面（出光側面）は第１支持面３１ａをなし、この第１支持面３１ａ上に第１凸部３５を支持している。また、第２ベース部４１の他方の側の面（出光側面）は第２支持面４１ａをなし、この第２支持面４１ａ上に第２凸部４５を支持している。一例として、ベース部３１，４１の厚さを２０μｍ以上２００μｍ以下とすることができ、このようなベース部３１，４１として、例えば、二軸延伸ポリエチレンテレフタレート（ＰＥＴ）フィルムを用いることができる。二軸延伸ポリエチレンテレフタレートフィルムは、適度な透明性と、紫外線照射処理や加熱処理等に対する耐久性と、を有している点で、ベース部３１，４１としての適用に好適である。
【００２６】
図３及び図４に示すように、第１凸部３５は、第１ベース部３１の第１支持面３１ａ上に、当該第１支持面３１ａと平行な第１配列方向ｄａに沿って、配列されている。また、第２凸部４５は、第２ベース部４１の第２支持面４１ａ上に、当該第２支持面４１ａと平行な第２配列方向ｄｂに沿って、配列されている。凸部３５，４５は、その配列方向ｄａ，ｄｂと交差する方向であってベース部３１，４１の支持面３１ａ，４１ａと平行な方向に、線状に延びている。とりわけ図示する例においては、凸部３５，４５は、配列方向ｄａ，ｄｂと直交する方向に直線状に延びている。本実施の形態では、凸部３５，４５が延びる方向を延在方向と呼ぶ。凸部３５，４５は、図３に示すようにベース部３１，４１の支持面３１ａ，４１ａ上に隙間無く配列されていてもよいし、図４に示すように、配列方向ｄａ，ｄｂに隙間をあけて、すなわち支持面３１ａ，４１ａが配列方向ｄａ，ｄｂに隣り合う二つの凸部３５，４５間に当該凸部３５，４５から露出した部分を有するようにして、ベース部３１，４１の支持面３１ａ，４１ａ上に配列されていてもよい。
【００２７】
第１光学シート３０の各第１凸部３５は、一方の側から入射する元像９１からの光を反射する第１反射面３６と、第１反射面３６と対向する第１対向面３７と、を有している。とりわけ、第１反射面３６は、第１凸部３５の第１配列方向ｄａに沿った一側に配置され、第１対向面３７は、当該第１凸部３５の第１配列方向ｄａに沿った他側に配置されている。第２光学シート４０の各第２凸部４５は、一方の側から入射する元像９１からの光を反射する第２反射面４６と、第２反射面４６と対向する第２対向面４７と、を有している。とりわけ、第２反射面４６は、第２凸部４５の第２配列方向ｄｂに沿った一側に配置され、第２対向面４７は、当該第２凸部４５の第２配列方向ｄｂに沿った他側に配置されている。第１光学シート３０に含まれる多数の第１凸部３５の間において、第１反射面３６は互いに平行となっている。また、第２光学シート４０に含まれる多数の第２凸部４５の間において、第２反射面４６は互いに平行となっている。本実施の形態においては、反射面３６，４６は、凸部３５，４５と後述の凹部３８，４８との界面で構成されており、凸部３５，４５と凹部３８，４８（空気層）との間の屈折率差に起因した全反射を引き起こすことを意図されている。
【００２８】
図３によく示されているように、第１光学シート３０及び第２光学シート４０は、光学シート３０，４０のシート面への法線方向から見て、第１凸部３５の配列方向ｄａと第２凸部４５の配列方向ｄｂとが交差するようにして、互いに重ねて配置されている。とりわけ、本実施の形態では、光学シート３０，４０のシート面への法線方向から見て、第１凸部３５の配列方向ｄａと第２凸部４５の配列方向ｄｂとが直交するようにして、第１光学シート３０及び第２光学シート４０が互いに対して位置決めされている。
【００２９】
第１光学シート３０は、隣り合う二つの第１凸部３５の間に第１凹部３８を有し、第２光学シート４０は、隣り合う二つの第２凸部４５の間に第２凹部４８を有している。図３及び図４に示すように、凹部３８，４８は、ベース部３１，４１上に、凸部３５，４５と隣接して、配列方向ｄａ，ｄｂに凸部３５，４５と交互に配列されている。また、凹部３８，４８は、その配列方向ｄａ，ｄｂと交差する方向であってベース部３１，４１の支持面３１ａ，４１ａと平行な方向に、線状に延びている。とりわけ、凹部３８，４８は、凸部３５，４５の延在方向と平行な方向に延びている。すなわち、凹部３８，４８は、凸部３５，４５と同様にストライプ配列にて、ベース部３１，４１の支持面３１ａ，４１ａ上に配列されている。
【００３０】
凹部３８，４８は、１つの凸部３５，４５の反射面３６，４６と、当該凸部３５，４５の当該反射面３６，４６側に隣り合う他の凸部３５，４５の対向面３７，４７と、を含んで形成される。とりわけ図４に示された例では、凹部３８，４８は、１つの凸部３５，４５の反射面３６，４６と、当該凸部３５，４５の当該反射面３６，４６側に隣り合う他の凸部３５，４５の対向面３７，４７と、を側面とし、当該反射面３６，４６と当該対向面３７，４７との間に位置するベース部３１，４１の支持面３１ａ，４１ａを底面として、形成される。
【００３１】
次に、図４を参照しながら、凸部３５，４５の断面形状について説明する。図４は、光学シート３０，４０の凸部３５，４５の配列方向ｄａ，ｄｂ及び光学シート３０，４０のシート面への法線方向ｎｄに沿った断面（光学シートの主切断面とも呼ぶ）において、光学シート３０，４０を示す図である。
【００３２】
図４に示すように、第１光学シート３０の主切断面において、第１配列方向ｄａに沿った第１凸部３５の幅Ｗ１は、他方の側（出光側）の端部において一方の側（入光側）の端部よりも狭くなっており、第２光学シート４０の主切断面において、第２配列方向ｄｂに沿った第２凸部４５の幅Ｗ２は、他方の側の端部において一方の側の端部よりも狭くなっている。すなわち、出光側端部における第１凸部３５の幅Ｗ１ｂは、入光側端部における第１凸部３５の幅Ｗ１ａよりも狭くなっており、出光側端部における第２凸部４５の幅Ｗ２ｂは、入光側端部における第２凸部４５の幅Ｗ２ａよりも狭くなっている。
【００３３】
とりわけ、図４に示した例では、第１配列方向ｄａに沿った第１凸部３５の幅Ｗ１は、一方の側（入光側）から他方の側（出光側）へ向けて狭くなるようにのみ変化し、広くなるように変化することはない。同様に、第２配列方向ｄｂに沿った第２凸部４５の幅Ｗ２は、一方の側（入光側）から他方の側（出光側）へ向けて狭くなるようにのみ変化し、広くなるように変化することはない。また、図示された例では、第１配列方向ｄａに沿った第１凸部３５の幅Ｗ１は、一方の側（入光側）から他方の側（出光側）へ向けて狭くなるように変化し続け、第２配列方向ｄｂに沿った第２凸部４５の幅Ｗ２は、一方の側（入光側）から他方の側（出光側）へ向けて狭くなるように変化し続けている。
【００３４】
さらに、第１凸部３５は、第１光学シート３０の主切断面において、略台形形状となっており、第２凸部４５は、第２光学シート４０の主切断面において、略台形形状となっている。そして、本実施の形態では、第１光学シート３０の主切断面において、第１凸部３５の一方の側から他方の側へ伸びる二つの面３６，３７のうちの一方によって、元像９１からの光を反射する第１反射面３６が構成され、二つの面３６，３７のうちの他方によって、第１反射面３６と対向する第１対向面３７が構成されている。同様に、第２光学シート４０の主切断面において、第２凸部４５の一方の側から他方の側へ伸びる二つの面４６，４７のうちの一方によって、元像９１からの光を反射する第２反射面４６が構成され、二つの面４６，４７のうちの他方によって、第２反射面４６と対向する第２対向面４７が構成されている。
【００３５】
図４に示された例では、第１凸部３５がなす台形形状の第１反射面３６に対応する一つの側辺は、当該台形形状の上底及び下底と直交しており、第２凸部４５がなす台形形状の第２反射面４６に対応する一つの側辺は、当該台形形状の上底及び下底と直交している。すなわち、第１凸部３５の第１反射面３６は、第１光学シート３０のシート面への法線方向ｎｄと平行をなして延びており、第２凸部４５の第２反射面４６は、第２光学シート４０のシート面への法線方向ｎｄと平行をなして延びている。図示された例では、凸部３５，４５の断面形状をなす台形形状は、上底が光学シート３０，４０の他方の側の面をなすように配置され、下底が一方の側に配置されている。なお、反射面３６，４６は、光学シート３０，４０のシート面への法線方向ｎｄと平行をなすものに限られない。一方の側（入光側）から入射する元像９１からの光を反射して、他方の側（出光側）に虚像９２を結像することが可能であれば、反射面３６，４６は、光学シート３０，４０のシート面への法線方向ｎｄに対して傾斜していてもよい。
【００３６】
以上のような構成からなる光学シート３０，４０は、一例として、次のようにして製造され得る。
【００３７】
まず、凸部３５，４５は、硬化することによって凸部３５，４５を構成するようになる凸部構成組成物、例えば、電子線、紫外線等の電離放射線により硬化する特徴を有したエポキシアクリレートプレポリマー等を用いて、作製され得る。具体的には、凹部３８，４８の構成（配置、形状等）に対応した凸部を有した型ロール、言い換えると、凸部３５，４５の構成（配置、形状等）に対応した凹部を有した型ロールを準備する。当該型ロールとニップロールとの間にベース部３１，４１をなすようになる基材シートを送り込み、該基材シートの送り込みに合わせて、凸部構成組成物を型ロールと基材シートとの間に供給する。その後、基材シート上に供給された未硬化状態で液状の凸部構成組成物が型ロールの凹部に充填されるように、型ロールおよびニップロールで該凸部構成組成物を押圧する。このとき、型ロールの凹部の深さより厚くなるように、すなわち、型ロールと基材シートとが接触しないように、凸部構成組成物を基材シート上に供給しておくことによって、凸部３５，４５と一体的に形成されるシート状部が基材シートとともに、ベース部３１，４１を形成するようになる。このようにして基材シートと型ロールとの間に未硬化で液状の凸部構成組成物を充填した後、電離放射線を照射して該凸部構成組成物を硬化（固化）させることによって凸部３５，４５を形成することができる。
【００３８】
次に、主に図５及び図６を参照して、本実施の形態の結像装置１０に組み込まれた光透過方向制御部材５０について説明する。図５は、光透過方向制御部材５０の一例を示す斜視図であり、図６は、図５の光透過方向制御部材５０のＶＩ−ＶＩ線に沿った断面を示す図である。
【００３９】
本実施の形態の光透過方向制御部材５０は、光学パネル２０の一方の側（入光側）に配置されており、光の透過方向に応じて当該光の透過率を変化させる機能を有している。とりわけ図１及び図２に示された例では、光透過方向制御部材５０は、光学パネル２０と元像９１との間となる位置に配置されている。光透過方向制御部材５０は、対向する２つの主面５０ａ，５０ｂを有しており、本実施形態では、光透過方向制御部材５０が、その第１面５０ａが元像９１と対面し、第２面５０ｂが光学パネル２０と対面するようにして配置された例について説明する。
【００４０】
元像９１から出射して光透過方向制御部材５０に入射した光は、第１面５０ａから光透過方向制御部材５０へ入射し、光透過方向制御部材５０への入射方向（入射角度）に応じた透過率で光透過方向制御部材５０を透過する。そして、光透過方向制御部材５０を透過した光は第２面５０ｂから出射し、光学パネル２０にその一方の側（入光側）から入射する。これにともなって、光透過方向制御部材５０の第１面５０ａは入光面をなし、第２面５０ｂは出光面をなす。
【００４１】
図５に示された例では、光透過方向制御部材５０は、複数の光吸収部５８を有している。光吸収部５８は、当該光吸収部５８に入射した光、とりわけ可視光、の少なくとも一部を吸収する。複数の光吸収部５８は、光透過方向制御部材５０の板面と平行をなす配列方向ｄｃに沿って配列されており、各光吸収部５８は、配列方向ｄｃと交差する方向に延びている。とりわけ図示された例では、各光吸収部５８は、光透過方向制御部材５０の板面と平行且つ配列方向ｄｃと直交する方向に延びている。また、本実施の形態の結像装置１０では、光透過方向制御部材５０は、光吸収部５８の配列方向ｄｃが光学パネル２０のパネル面（光学シート３０，４０のシート面）と平行をなすようにして配置される（図１参照）。なお、これに限られず、光透過方向制御部材５０は、複数の光吸収部５８の配列方向ｄｃが光学パネル２０のパネル面と交差するようにして配置されてもよい。
【００４２】
以下、光透過方向制御部材５０の断面形状について、図６を参照しながら詳述していく。図６は、光透過方向制御部材５０の板面への法線方向及び光吸収部５８の配列方向ｄｃの両方に平行をなす断面（以下、主切断面ともいう）において光透過方向制御部材５０を示している。図示された例では、光透過方向制御部材５０は、シート状のベース部５１と、ベース部５１上に配列された光透過部５５と、隣り合う二つの光透過部５５の間に配置された光吸収部５８と、光透過部５５及び光吸収部５８を覆うカバー部５９と、を有している。
【００４３】
ベース部５１は、光透過部５５を支持する層であり、適度な強度及び適度な透明性を有するように、適宜構成される。一例として、このようなベース部５１として、例えば、二軸延伸ポリエチレンテレフタレート（ＰＥＴ）フィルムを用いることができる。二軸延伸ポリエチレンテレフタレートフィルムは、適度な透明性と、紫外線照射処理や加熱処理等に対する耐久性と、を有している点で、ベース部５１としての適用に好適である。
【００４４】
図６に示すように、光透過部５５は、ベース部５１上に、ベース部５１のシート面と平行な配列方向ｄｃに沿って、配列されている。光透過部５５は、その配列方向ｄｃと交差する方向であってベース部５１のシート面と平行な方向に、線状に延びている。とりわけ、図示された例では、光透過部５５は、その配列方向ｄｃと直交し且つベース部５１のシート面と平行な方向に、直線状に延びている。
【００４５】
図６に示された例では、光透過方向制御部材５０の光吸収部５８は、隣り合う二つの光透過部５５の間に配置されている。図示された例では、光吸収部５８は、ベース部５１上に、光透過部５５と隣接して、配列方向ｄｃに光透過部５５と交互に配列されている。また、光吸収部５８は、その配列方向ｄｃと交差する方向であってベース部５１のシート面と平行な方向に、線状に延びている。とりわけ、図示された例では、光吸収部５８は、その配列方向ｄｃと直交し且つベース部５１のシート面と平行な方向に、直線状に延びている。すなわち、図示された例では、光吸収部５８は、光透過部５５と同様にストライプ配列にて、ベース部５１上に配列されている。
【００４６】
本実施の形態では、光透過方向制御部材５０の光吸収部５８は、バインダ樹脂５８ａと、バインダ樹脂５８ａ中に分散された光吸収粒子５８ｂと、を含んでいる。光吸収粒子５８ｂは、可視光を吸収する機能を有した粒状物であり、これにより、光透過方向制御部材５０において、光吸収部５８内に入射した光を光吸収粒子５８ｂで吸収することができる。この光吸収粒子５８ｂは、一例として黒色粒子からなるものを用いることができる。この黒色粒子としては、例えば、例えば黒色顔料等が挙げられ、具体的には、カーボンブラック、黒鉛、窒化チタン、Ｃｕ、Ｆｅ、Ｍｎ等の複合酸化物、黒色酸化鉄、二酸化マンガン等の金属酸化物およびその混合物、アニリンブラック等の黒色顔料を用いることができる。また、光吸収粒子５８ｂは、可視光領域の光をほぼ全領域に渡って吸収するものであれば特に限定されるものではなく、例えば、紺色、青色、紫色等の青みを帯びた粒子、赤みを帯びた粒子、黄色みを帯びた粒子等であってもよい。さらに、光吸収粒子５８ｂは、複数種類の顔料等を混ぜ合わせたものであってもよい。なお、光吸収粒子５８ｂは１種類の粒子からなるものであってもよく、２種類以上の粒子を混合したものであってもよい。
【００４７】
光吸収部５８のバインダ樹脂５８ａは、一例として、電離放射線の照射により硬化し得る材料からなる。なお、電離放射線とは、電磁波が有する量子エネルギーで区分することもあるが、本明細書では、すべての紫外線（ＵＶ−Ａ、ＵＶ−Ｂ、ＵＶ−Ｃ）、可視光線、γ線、Ｘ線、電子線、活性エネルギー線等を意味するものとする。
【００４８】
バインダ樹脂５８ａの材料としては、構造中にラジカル重合性の活性基を有するモノマー、オリゴマー、またはポリマーを主成分として重合された電離放射線硬化性樹脂が用いられ得る。この電離放射線硬化性樹脂としては、紫外線硬化性樹脂、電子線硬化性樹脂、可視光線硬化性樹脂、近赤外線硬化性樹脂等が挙げられる。中でも紫外線硬化性樹脂および電子線硬化性樹脂を用いることが好ましく、具体的には、エポキシアクリレート系、ウレタンアクリレート系、ポリエーテルアクリレート系、ポリエステルアクリレート系、ポリチオール系等の反応性オリゴマー、ビニルピロリドン、２−エチルヘキシルアクリレート、β−ヒドロキシアクリレート、テトラヒドロフルフリルアクリテート等の反応性のモノマー等が挙げられる。
【００４９】
光透過部５５及び光吸収部５８の断面形状について説明する。図６に示すように、光透過部５５は、光透過方向制御部材５０の主切断面において、略台形形状を有している。図示された例では、光透過部５５の断面形状をなす台形形状は、上底（相対的に短い方の底辺）が光透過方向制御部材５０の第１面５０ａ側（入光側）に配置され、下底（相対的に長い方の底辺）が第２面５０ｂ側（出光側）に配置されている。したがって、光透過方向制御部材５０の主切断面において、配列方向ｄｃに沿った光透過部５５の幅Ｗ３は、入光側の端部において出光側の端部よりも狭くなっている。すなわち、入光側端部における光透過部５５の幅Ｗ３ａは、出光側端部における光透過部５５の幅Ｗ３ｂよりも狭くなっている。とりわけ、図示された例では、配列方向ｄｃに沿った光透過部５５の幅Ｗ３は、出光側から入光側へ向けて狭くなるようにのみ変化している。また、配列方向ｄｃに沿った光透過部５５の幅Ｗ３は、出光側から入光側へ向けて狭くなるように変化し続けている。
【００５０】
図６に示された例においては、隣り合う二つの光透過部５５は、配列方向ｄｃに沿って隙間をあけて配置されている。このため、隣り合う二つの光透過部５５の間に設けられた光吸収部５８は、光透過方向制御部材５０の主切断面において、四角形形状、とりわけ、台形形状を有している。光吸収部５８の断面形状をなす台形形状は、上底が出光側に配置され、下底が入光側に配置されている。ただし、このような例に限られず、隣り合う二つの光透過部５５が、配列方向ｄｃに沿って隣接して配置されていてもよい。この例によれば、隣り合う二つの光透過部５５の間に設けられた光吸収部５８は、光透過方向制御部材５０の主切断面において、三角形形状となる。
【００５１】
光吸収部５８の配列方向ｄｃに沿った幅（最大幅）Ｗ４は、５μｍ以上３０μｍ以下とすることができる。また、光吸収部５８の光透過方向制御部材５０の板面への法線方向ｎｄに沿った高さＨ（最大高さ）は、５０μｍ以上２００μｍ以下とすることができる。好ましくは、光吸収部５８の高さＨは、光吸収部５８の幅Ｗ４よりも大きい。このような幅Ｗ４及び高さＨを有する光吸収部５８によれば、元像９１から出射していずれかの箇所で反射することなく光透過方向制御部材５０に入射した光、すなわち光透過方向制御部材５０の主切断面において光透過方向制御部材５０の板面への法線方向ｎｄとなす角度が比較的小さい光を、高い透過率で透過させ、元像９１から出射してケーシング１５の内面やケーシング１５内の他の装置の表面で反射し光透過方向制御部材５０に入射した光、すなわち光透過方向制御部材５０の主切断面において光透過方向制御部材５０の板面への法線方向ｎｄとなす角度が比較的大きい光の大部分を吸収し、これにより、光透過方向制御部材５０における光の透過方向に応じて当該光の透過率を効果的に変化させることができる。
【００５２】
カバー部５９は、光透過部５５及び光吸収部５８をベース部５１と反対側から覆い、光透過部５５及び光吸収部５８を保護するカバーとして機能する。カバー層２５は、高い可視光透過率を有していることが好ましい。一例として、カバー層２５は、７０％以上の可視光透過率を有していることが好ましい。
【００５３】
カバー部５９の材料としては、可視光透過性を有する種々の材料を用いることができる。カバー部５９に用いることができる材料としては、例えば、紫外線硬化性樹脂、電子線硬化性樹脂等の電離放射線硬化性樹脂を挙げることができる。なお、カバー部５９は、ベース部５１又は光透過部５５と同じ材料を用いて形成されてもよい。カバー部５９は、例えばシート状の樹脂材料を光透過部５５及び光吸収部５８をベース部５１と反対側から積層することにより形成してもよいし、流動性を有する（例えば液状の）樹脂材料を光透過部５５及び光吸収部５８をベース部５１と反対側から塗布し、当該樹脂材料を硬化させることにより形成してもよい。
【００５４】
以上のような構成からなる光透過方向制御部材５０は、一例として、次のようにして製造され得る。図７及び図８は、光透過方向制御部材５０の製造方法の一例を説明するための図である。
【００５５】
光透過部５５は、硬化することによって光透過部５５を構成するようになる光透過部構成組成物、例えば、電子線、紫外線等の電離放射線の照射により硬化する、エポキシアクリレートプレポリマー等の樹脂を用いて、作製され得る。具体的には、光吸収部５８の構成（配置、形状等）に対応した凸部を有した金型、言い換えると、光透過部５５の構成（配置、形状等）に対応した凹部を有した金型を準備する。
【００５６】
次に、未硬化で流動性を有した光透過部構成組成物を、金型の凹部に充填し、光透過部構成組成物の金型と反対側に、光透過方向制御部材５０のベース部５１を構成するようになるベースフィルムを積層する。ベースフィルムとしては、例えば、二軸延伸ポリエチレンテレフタレート（ＰＥＴ）フィルムを用いることができる。このようにして、ベースフィルムと金型との間、とりわけベースフィルムと金型の凹部との間、に光透過部構成組成物を充填した後、電離放射線を照射して、この光透過部構成組成物を硬化（固化）させる。その後、硬化した光透過部構成組成物を、ベースフィルムとともに金型から離型することによって、図７に示すように、ベースフィルム（ベース部５１）上に光透過部５５を形成することができる。
【００５７】
次に、光吸収部５８は、電離放射線硬化性樹脂等を含むバインダ樹脂５８ａと、例えばカーボンブラック等を含む光吸収粒子５８ｂと、を含んだ未硬化で流動性を有する光吸収部構成組成物を用いて、作製され得る。まず、先に形成された光透過部５５上に光吸収部構成組成物を供給する。その後、隣り合う光透過部５５の間に形成された溝、すなわち、金型の凸部に対応していた部分の内部に、ドクターブレードを用いながら、光吸収部構成組成物を充填しつつ、当該溝の外に溢出した余剰の光吸収部構成組成物を掻き落としていく。その後、光吸収部構成組成物に電離放射線を照射して硬化させることにより、図８に示すように、隣り合う光透過部５５の間に充填された光吸収部構成組成物から光吸収部５８が形成される。
【００５８】
次に、光透過部５５及び光吸収部５８を覆うようにカバー部５９を形成する。カバー部５９は、例えばシート状の樹脂材料を光透過部５５及び光吸収部５８をベース部５１と反対側から積層することにより形成することができる。これにより、図６に示すような、シート状のベース部５１と、ベース部５１上に配列された光透過部５５と、隣り合う二つの光透過部５５の間に配置された光吸収部５８と、光透過部５５及び光吸収部５８を覆うカバー部５９と、を有する光透過方向制御部材５０が作製される。
【００５９】
次に、以上のように構成された結像装置１０の作用効果について説明する。
【００６０】
図１及び図２に示すように、ケーシング１５に支持された光学パネル２０の一方の側（入光側）に、表示対象となる元となる像、すなわち元像９１が配置される。図１及び図２に示された例においては、円錐が元像９１として、ケーシング１５内に配置されている。図３に示すように、元像９１からの光は、光透過方向制御部材５０を介して光学パネル２０へ一方の側から入射し、進行方向を変化させて光学パネル２０を透過し、他方の側へ像９２を形成するようになる。
【００６１】
元像９１からの光は、光学パネル２０の一方の側に配置された第１光学シート３０へ入射する。第１光学シート３０は、第１配列方向ｄａに配列された多数の第１凸部３５を有し、各第１凸部３５は互いに平行な第１反射面３６を有している。図３及び図４に示された例では、各第１反射面３６は、第１光学シート３０のシート面への法線方向ｎｄ、言い換えると光学パネル２０のパネル面への法線方向ｎｄと平行な面となっている。第１光学シート３０の第１反射面３６は、第１反射面３６と平行な面で鏡面反射された像を形成するように、元像９１からの光を反射する。
【００６２】
第１光学シート３０の他方の側には、第２光学シート４０が配置されている。第２光学シート４０は、第２配列方向ｄｂに配列された多数の第２凸部４６を有し、各第２凸部４６は互いに平行な第２反射面４６を有している。図３及び図４に示された例では、各第２反射面４６は、第２光学シート４０のシート面への法線方向ｎｄ、言い換えると光学パネル２０のパネル面への法線方向ｎｄと平行な面となっている。第２光学シート４０の第２反射面４６は、第２反射面４６と平行な面で鏡面反射された虚像９２を形成するように、第１反射面３６で反射された後の元像９１からの光を反射する。
【００６３】
なお、図３に示すように、元像９１の各位置から種々の方向に進む光が、第１光学シート３０内の第１反射面３６及び第２光学シート４０内の第２反射面４６で反射され、元像の当該位置９１に対して光学パネル２０のパネル面を中心として面対称な位置へ進む。結果として、光学パネル２０のパネル面を中心として元像９１と面対称な像９２が、光学パネル２０のパネル面を中心として元像９１と面対称な位置に、形成（結像）される。観察者１は、光学パネル２０のパネル面を中心として元像９１と面対称な位置に向けて、光学パネル２０から進み出る光の進行方向と逆向きから観察した際に、光学パネル２０の他方の側に結象された象９２を三次元的に把握することができる。
【００６４】
従来の結像装置においては、元像から出射してケーシングの内面やケーシング内の他の装置の表面で反射した光が、元像から出射していずれかの箇所で反射することなく光学パネルに入射する光とは異なる角度で光学パネルに入射し、光学パネルを透過することがある。この光は、本来観察されるべき像とは異なる位置で結像し、この像がゴーストとして観察者から視認され得る。とりわけ、このゴーストが、本来観察されるべき像が観察され得る方向から視認される場合、すなわち、本来観察されるべき像と同時に視認される場合には、本来観察されるべき像の視認性を著しく劣化させてしまうことになる。
【００６５】
本実施の形態の結像装置１０は、光学パネル２０の一方の側すなわち入光側に配置され、光の透過方向に応じて当該光の透過率を変化させる光透過方向制御部材５０を有している。とりわけ図１及び図２に示された例では、光透過方向制御部材５０は、光学パネル２０と元像９１との間となる位置に配置されている。
【００６６】
元像９１から出射していずれかの箇所で反射することなく光透過方向制御部材５０に向かう光は、光透過方向制御部材５０に、当該光透過方向制御部材５０の板面への法線方向ｎｄに対して比較的小さな角度をなして入射する。一方、元像から出射してケーシング１５の内面やケーシング１５内の他の装置の表面で反射した光は、光透過方向制御部材５０に、当該光透過方向制御部材５０の板面への法線方向ｎｄに対して比較的大きな角度をなして入射する。
【００６７】
図６に示されているように、元像９１から出射して光透過方向制御部材５０の第１面５０ａに入射した光のうち、元像９１から出射していずれかの箇所で反射することなく光透過方向制御部材５０に入射した光Ｌ１、すなわち光透過方向制御部材５０の主切断面において光透過方向制御部材５０の板面への法線方向ｎｄとなす角度が比較的小さい光Ｌ１は、光透過方向制御部材５０のカバー部５９、光透過部５５及びベース部５１を順に透過し、光透過方向制御部材５０の第２面５０ｂから出射して光学パネル２０へ向かう。一方、元像９１から出射して光透過方向制御部材５０の第１面５０ａに入射した光のうち、元像９１から出射してケーシング１５の内面やケーシング１５内の他の装置の表面で反射した光Ｌ２、すなわち光透過方向制御部材５０の主切断面において光透過方向制御部材５０の板面への法線方向ｎｄとなす角度が比較的大きい光Ｌ２は、光透過方向制御部材５０のカバー部５９を透過して光透過部５５へ入射した後に光吸収部５８へ入射する。光吸収部５８へ入射した光Ｌ２の大部分は、光吸収部５８に含まれる光吸収粒子５８ｂにより吸収され、光透過方向制御部材５０から出射することはない。
【００６８】
すなわち、光透過方向制御部材５０は、光透過方向制御部材５０の主切断面において光透過方向制御部材５０の板面への法線方向ｎｄとなす角度が比較的小さい光Ｌ１に対しては透過率が高く、光透過方向制御部材５０の主切断面において光透過方向制御部材５０の板面への法線方向ｎｄとなす角度が比較的大きい光Ｌ２に対しては透過率が低くなるよう、光Ｌ１，Ｌ２の透過方向（光透過方向制御部材５０への入射方向）に応じて当該光Ｌ１，Ｌ２の透過率を変化させる光透過方向制御機能を発揮する。したがって、元像９１から出射してケーシング１５の内面やケーシング１５内の他の装置の表面で反射し、元像９１から出射していずれかの箇所で反射することなく光学パネル２０に入射する光Ｌ１とは異なる角度で光学パネル２０に入射し光学パネル２０を透過した光Ｌ２が、本来観察されるべき像９２とは異なる位置で結像し、この像がゴーストとして観察者から視認されることを効果的に抑制することができる。すなわち、一方の側から入射する元像９１からの光の進行方向を変えて他方の側へ透過し、他方の側へ像を結像するための光学パネル２０を備えた結像装置１０において、ゴーストの発生を効果的に抑制することができる。
【００６９】
なお、上述した実施の形態に対して様々な変更を加えることが可能である。以下、図面を適宜参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００７０】
上述の実施の形態では、光学パネル２０と元像９１との間に光透過方向制御部材５０を設けた例を示したが、この光透過方向制御部材５０に代えて、光学パネル２０と元像９１との間に、光の入射方向に応じてその透過光のヘイズ値が異なるヘイズ値制御部材６０を設けるようにしてもよい。図１、図２及び図９を主に参照して、結像装置１０の一変形例について説明する。図９は、結像装置１０に組み込まれたヘイズ値制御部材６０の一例を示す図である。
【００７１】
図１及び図２に示すように、本変形例の結像装置１０は、一方の側から入射する元像９１からの光の進行方向を変えて他方の側へ透過させる光学パネル２０と、光学パネル２０を支持するケーシング１５と、光の入射方向に応じてその透過光のヘイズ値が異なるヘイズ値制御部材６０と、を有している。本変形例の光学パネル２０及びケーシング１５は、上述の実施の形態と同様に構成されており、ここでは説明を省略する。
【００７２】
ヘイズ値制御部材６０は、光学パネル２０の一方の側、すなわちケーシング１５の内側に配置されており、光の入射方向に応じてその透過光のヘイズ値を異ならせる機能を有している。とりわけ図１及び図２に示された例では、ヘイズ値制御部材６０は、光学パネル２０と元像９１との間となる位置に配置されている。ヘイズ値制御部材６０は、対向する２つの主面６０ａ，６０ｂを有しており、本変形例では、ヘイズ値制御部材６０が、その第１面６０ａが元像９１と対面し、第２面６０ｂが光学パネル２０と対面するようにして配置された例について説明する。
【００７３】
元像９１から出射してヘイズ値制御部材６０に入射した光は、第１面６０ａからヘイズ値制御部材６０へ入射し、当該ヘイズ値制御部材６０を透過して、ヘイズ値制御部材６０への入射方向（入射角度）に応じたヘイズ値を有してヘイズ値制御部材６０の第２面６０ｂから出射する。これにともなって、ヘイズ値制御部材６０の第１面６０ａは入光面をなし、第２面６０ｂは出光面をなす。
【００７４】
一例として、図９に示された例では、ヘイズ値制御部材６０は、ヘイズ値制御部材６０に対して第１面６０ａ側の第１角度範囲ＡＲ１から入射した光Ｌ３を、相対的に低いヘイズ値を有して透過させ、ヘイズ値制御部材６０に対して第１面６０ａ側の第１角度範囲ＡＲ１と異なる第２角度範囲ＡＲ２から入射した光Ｌ４を、相対的に高いヘイズ値を有して透過させる。この場合、元像９１から出射し、第１角度範囲ＡＲ１からヘイズ値制御部材６０へ入射した光Ｌ３は、ヘイズ値制御部材６０を透過し、相対的に低いヘイズ値を有してヘイズ値制御部材６０から出射する。これに対して、元像９１から出射し、第２角度範囲ＡＲ２からヘイズ値制御部材６０へ入射した光Ｌ４は、ヘイズ値制御部材６０を透過し、相対的に高いヘイズ値を有してヘイズ値制御部材６０から出射する。したがって、ヘイズ値制御部材６０は、第１角度範囲ＡＲ１から入射する光に対しては光透過機能を発揮する一方、第２角度範囲ＡＲ２から入射する光に対しては光拡散機能を発揮するようになる。
【００７５】
とりわけ図９に示された例では、第１角度範囲ＡＲ１は、当該ヘイズ値制御部材６０の法線方向ｎｄに対して所定の角度θ以下の角度をなす範囲である。すなわち、ヘイズ値制御部材６０は、ヘイズ値制御部材６０法線方向ｎｄに対して所定の角度θ以下の角度をなす第１角度範囲ＡＲ１から入射した光Ｌ３を、相対的に低いヘイズ値を有して透過させ、ヘイズ値制御部材６０法線方向ｎｄに対して所定の角度θより大きい角度をなす第２角度範囲ＡＲ２から入射した光Ｌ４を、相対的に高いヘイズ値を有して透過させる。この場合、元像９１から出射し、ヘイズ値制御部材６０の法線方向ｎｄに対して所定の角度θ以下の角度をなす第１角度範囲ＡＲ１からヘイズ値制御部材６０へ入射した光Ｌ３は、ヘイズ値制御部材６０を透過し、相対的に低いヘイズ値を有してヘイズ値制御部材６０から出射する。これに対して、元像９１から出射し、ヘイズ値制御部材６０法線方向ｎｄに対して所定の角度θより大きい角度をなす第２角度範囲ＡＲ２からヘイズ値制御部材６０へ入射した光Ｌ４は、ヘイズ値制御部材６０を透過し、相対的に高いヘイズ値を有してヘイズ値制御部材６０から出射する。したがって、ヘイズ値制御部材６０は、ヘイズ値制御部材６０の法線方向ｎｄに対して所定の角度θ以下の角度をなす第１角度範囲ＡＲ１から入射する光に対しては光透過機能を発揮する一方、ヘイズ値制御部材６０法線方向ｎｄに対して所定の角度θより大きい角度をなす第２角度範囲ＡＲ２から入射する光に対しては光拡散機能を発揮するようになる。この所定の角度θは、一例として、２５°以上５５°以下の範囲で適宜設定することができる。
【００７６】
以上に説明したヘイズ値制御部材６０としては、例えば、住友化学株式会社製の視界制御フィルム「ルミスティー」（ＭＦＺ−２５５５）等を用いることができる。
【００７７】
次に、上述のヘイズ値制御部材６０が組み込まれた結像装置１０の作用効果について説明する。
【００７８】
従来の結像装置においては、光学パネルの一方の側から入射し、第１光学シート又は第２光学シートのいずれかの反射面で１回だけ反射した元像からの光による反射像がそのまま観察者から視認される場合があった。そして、この反射像が、本来観察されるべき像が観察され得る方向から視認される場合、すなわち、本来観察されるべき像と同時に視認される場合にも、本来観察されるべき像の視認性を著しく劣化させてしまうことになる。この反射像について本件発明者らが鋭意検討を進めたところ、元像から光学パネルに向かう方向に対して比較的大きな角度をなして元像から出射し光学パネルに入射した光により、反射像が形成されやすいことが知見された。
【００７９】
そこで、本変形例の結像装置１０は、光学パネル２０の一方の側に配置され、光の入射方向に応じてその透過光のヘイズ値が異なるヘイズ値制御部材６０を有している。このヘイズ値制御部材６０は、当該ヘイズ値制御部材６０に対して所定の第１角度範囲ＡＲ１から入射した光Ｌ３を、相対的に低いヘイズ値を有して透過させ、当該ヘイズ値制御部材６０に対して第１角度範囲ＡＲ１と異なる第２角度範囲ＡＲ２から入射した光を、相対的に高いヘイズ値を有して透過させる。したがって、このヘイズ値制御部材６０は、第１角度範囲ＡＲ１から入射する光に対しては光透過機能を発揮する一方、第２角度範囲ＡＲ２から入射する光に対しては光拡散機能を発揮する。
【００８０】
元像９１から出射し、元像９１から光学パネル２０に向かう方向に対して比較的小さな角度をなして光学パネル２０へ向かう光Ｌ３は、ヘイズ値制御部材６０に第１角度範囲ＡＲ１から入射する。この光Ｌ３は、ヘイズ値制御部材６０を相対的に低いヘイズ値を有して透過し、ヘイズ値制御部材６０の第１面６０ａから光学パネル２０に向けて出射する。光学パネル２０に入射した光Ｌ３は、光学パネル２０の第１反射面３６及び第２反射面４６で順に反射して、光学パネル２０の他方の側に虚像９２を結像する。
【００８１】
一方、元像９１から出射し、元像９１から光学パネル２０に向かう方向に対して比較的大きい角度をなして光学パネル２０へ向かう光Ｌ４、すなわちヘイズ値制御部材６０を介さずに光学パネル２０に入射すると反射像を形成し得る光Ｌ４は、ヘイズ値制御部材６０に第２角度範囲ＡＲ２から入射する。この光Ｌ４は、ヘイズ値制御部材６０を相対的に高いヘイズ値を有して透過し、ヘイズ値制御部材６０の第２面６０ｂから拡散光として出射する。これにより、拡散した光Ｌ４の大部分は光学パネル２０に入射することはない。したがって、元像９１から出射し、元像９１から光学パネル２０に向かう方向に対して比較的大きい角度をなして光学パネル２０へ向かう光Ｌ４によって、反射像が形成されることを効果的に抑制することができる。
【００８２】
また、本変形例の結像装置１０では、第１角度範囲ＡＲ１は、一例として、ヘイズ値制御部材６０の法線方向ｎｄに対して所定の角度θ以下の角度をなす範囲である。この場合、元像９１がヘイズ値制御部材６０の法線方向ｎｄに沿った方向に位置するように、ヘイズ値制御部材６０と元像９１とを位置決めすればよい。例えば、ヘイズ値制御部材６０を元像９１の真上に配置したい場合には、ヘイズ値制御部材６０を、その板面が水平方向と平行をなすようにして配置することができる。これにより、ヘイズ値制御部材６０と元像９１との位置決めが容易になる。なお、これに限られず、第１角度範囲ＡＲ１は、ヘイズ値制御部材６０の法線方向ｎｄと交差する方向ｄ１に対して所定の角度θ以下の角度をなす範囲であってもよい。この場合、元像９１がヘイズ値制御部材６０に対して方向ｄ１に沿った方向に位置するように、ヘイズ値制御部材６０と元像９１とを位置決めすればよい。例えば、ヘイズ値制御部材６０を元像９１の真上に配置したい場合には、方向ｄ１と鉛直方向とが平行をなすようにして、すなわちヘイズ値制御部材６０を傾斜させて配置することができる。
【００８３】
他の変形例として、上述の実施の形態では、光学パネル２０と元像９１との間に、１つの光透過方向制御部材５０又はヘイズ値制御部材６０を設けた例を示したが、これに限られず、光学パネル２０と元像９１との間に、複数の光透過方向制御部材５０又は複数のヘイズ値制御部材６０を設けるようにしてもよい。例えば、複数の光透過方向制御部材５０を積層して設け、積層された複数の光透過方向制御部材５０の板面への法線方向から見て、各光透過方向制御部材５０の光吸収部５８の配列方向ｄｃが、互いに交差するようにしてもよい。さらに具体的には、例えば、２つの光透過方向制御部材５０を積層して設け、積層された２つの光透過方向制御部材５０の板面への法線方向から見て、各光透過方向制御部材５０の光吸収部５８の配列方向ｄｃが、互いに直交するようにしてもよい。また、光学パネル２０と元像９１との間に、光透過方向制御部材５０及びヘイズ値制御部材６０の両方を設けるようにしてもよい。
【００８４】
さらに他の変形例として、上述の実施の形態では、光学シート３０，４０の二つの隣り合う凸部３５，４５間に凹部３８，４８が形成され、反射面３６，４６による光の反射は、凸部３５，４５と凹部３８，４８（空気層）との間の屈折率差に起因した全反射によって行われる例を示したが、これに限られない。例えば、凹部３８，４８内に、凸部３５，４５を構成する材料の屈折率よりも低い屈折率を有する低屈折材料を充填し、反射面３６，４６による光の反射を、凸部３５，４５を構成する材料と低屈折材料との間の屈折率差に起因した全反射によって行うようにしてもよい。
【００８５】
さらに他の変形例として、上述した実施の形態では、元像９１が、実物のモデルからなる例を示したが、これに限られず、元像自体が映像として形成された像であってもよい。
【００８６】
さらに他の変形例として、上述した実施の形態では、元像９１からの光が、光学シート３０，４０のベース部３１，４１の側から光学シート３０，４０へ入射する例を示したが、これに限られず、光学シート３０，４０を、元像９１からの光が、光学シート３０，４０のベース部３１，４１と反対の側から、すなわち凸部３５，４５の側から、光学シート３０，４０へ入射するようにしてもよい。
【００８７】
さらに他の変形例として、上述した実施の形態では、光学パネル２０が一つのみ結像装置１０に設けられている例を示したが、これに限られず、二以上の光学パネル２０が設けられていてもよい。このような変形例においては、第１の光学パネルが、元像からの光によって第１の像を形成し、第２の光学パネルが、第１の像をなす光によって第２の像を形成するようにしてもよい。
【００８８】
さらに他の変形例として、上述した実施の形態において、光学パネル２０に含まれた第１光学シート３０及び第２光学シート４０が同一に構成されている例を示したが、これに限られず、第１光学シート３０及び第２光学シート４０が、寸法や形状等の構成において互いに異なっていてもよい。
【００８９】
なお、以上において上述した実施の形態に対するいくつかの変形例を説明してきたが、当然に、複数の変形例を適宜組み合わせて適用することも可能である。
【符号の説明】
【００９０】
１０  結像装置
１５  ケーシング
２０  光学パネル
３０  第１光学シート
３１  第１ベース部
３５  第１凸部
３６  第１反射面
３７  第１対向面
３８  第１凹部
４０  第２光学シート
４１  第２ベース部
４５  第２凸部
４６  第２反射面
４７  第２対向面
４８  第２凹部
５０  光透過方向制御部材
５１  ベース部
５５  光透過部
５８  光吸収部
５８ａ  バインダ樹脂
５８ｂ  光吸収部
５９  カバー部
６０  ヘイズ値制御部材
９１  元像
９２  虚像
【図１】
2017191175.tif 000003
【図２】
2017191175.tif 000004
【図３】
2017191175.tif 000005
【図４】
2017191175.tif 000006
【図５】
2017191175.tif 000007
【図６】
2017191175.tif 000008
【図７】
2017191175.tif 000009
【図８】
2017191175.tif 000010
【図９】
2017191175.tif 000011